(57)【要約】【課題】  構造が簡易で機器配置が容易な、低着火性燃料を用いた内燃機関の燃料噴射装置を提供する。【解決手段】  低着火性燃料を用いた内燃機関の燃料噴射装置であって、燃料油を供給する燃料油供給部（１０）と、低着火性燃料を供給する低着火性燃料供給部（２０）と、燃料油供給部から供給される燃料油と低着火性燃料供給部から供給される低着火性燃料とを混合させて混合燃料を生成する燃料混合部（３０）と、内燃機関に配設されて燃料混合部から供給された混合燃料を内燃機関のシリンダ内へ噴射する燃料噴射部（４０）とを備える。混合燃料内の燃料油と低着火性燃料とを分離するための混合燃料分離部（６０）をさらに備える。【選択図】        図１
2019132221.tif 000002
【特許請求の範囲】
【請求項１】
低着火性燃料を用いた内燃機関（１）の燃料噴射装置（２，３）であって、燃料油を供給する燃料油供給部（１０）と、低着火性燃料を供給する低着火性燃料供給部（２０）と、前記燃料油供給部から供給される前記燃料油と前記低着火性燃料供給部から供給される前記低着火性燃料とを混合して混合燃料を生成する燃料混合部（３０）と、前記内燃機関に配設されて前記燃料混合部から供給された前記混合燃料を前記内燃機関のシリンダ内へ噴射する燃料噴射部（４０）とを備えたことを特徴とする、低着火性燃料を用いた内燃機関の燃料噴射装置。
【請求項２】
前記混合燃料内の前記燃料油と前記低着火性燃料とを分離させる混合燃料分離部（６０）をさらに備えることを特徴とする、請求項１に記載の低着火性燃料を用いた内燃機関の燃料噴射装置。
【請求項３】
前記混合燃料分離部（６０）は、前記燃料噴射部（４０）から前記シリンダ内へ噴射されなかった前記混合燃料を前記燃料油と前記低着火性燃料とに分離し、前記混合燃料から分離された前記燃料油は、前記燃料油供給部（１０）へ戻される、又は、前記混合燃料から分離された前記低着火性燃料は、前記低着火性燃料供給部（２０）へ戻されることを特徴とする、請求項２に記載の低着火性燃料を用いた内燃機関の燃料噴射装置。
【請求項４】
前記低着火性燃料は、液相状態で前記内燃機関の（１）の前記燃料噴射部（４０）へ供給されることを特徴とする、請求項１ないし３のいずれかに記載の低着火性燃料を用いた内燃機関の燃料噴射装置。
【請求項５】
前記内燃機関（１）は、ディーゼルサイクルにて作動されることを特徴とする、請求項１ないし４のいずれかに記載の内燃機関の低着火性燃料による燃料噴射装置。
【請求項６】
前記内燃機関（１）は、パイロット燃料噴射弁を有しないことを特徴とする、請求項１ないし５のいずれかに記載の内燃機関の低着火性燃料による燃料噴射装置。
【請求項７】
前記混合燃料は、前記内燃機関（１）の燃焼作動時に前記内燃機関の前記燃料噴射部（４０）から前記シリンダ内へ常時噴射されることをことを特徴とする、請求項１ないし６のいずれかに記載の内燃機関の低着火性燃料による燃料噴射装置。
【請求項８】
前記燃料混合部（３０）は、前記内燃機関（１）の作動状態に応じて前記燃料油供給部（１０）から供給される前記燃料油と前記低着火性燃料供給部（２０）から供給される前記低着火性燃料との混合比率を変化させることができることを特徴とする、請求項１ないし７のいずれかに記載の内燃機関の低着火性燃料による燃料噴射装置。
【請求項９】
前記低着火性燃料をメタノールとし、前記混合燃料に水を含有させるための水供給部（７０）をさらに備えたことを特徴とする、請求項１ないし８のいずれかに記載の内燃機関の低着火性燃料による燃料噴射装置。
【請求項１０】
前記水供給部（７０）は、前記低着火性燃料供給部（２０）に接続されて前記水を前記低着火性燃料供給部（２０）に供給して前記低着火性燃料に前記水を混入させることにより前記混合燃料に前記水を含有させることを特徴とする、請求項９に記載の内燃機関の低着火性燃料による燃料噴射装置。
【発明の詳細な説明】
【技術分野】
【０００１】
本発明は、内燃機関を低着火性燃料を用いて作動させるための燃料噴射装置に関する。
【背景技術】
【０００２】
従来、例えば、舶用ティーゼル機関では、長年にわたり重油などのいわゆる燃料油を主燃料としてきた。その理由は、燃料油が比較的安価で、どこでも大量に調達できるという、船舶に必要な条件を備えているからである。
【０００３】
この一方、近年、特に世界的な環境保全の観点からクリーンなエネルギ源が求められ、ＣＯ2 、ＳＯX 、ＮＯX 等の排出量の大幅削減が危急の課題となっている。特にＣＯ2 、ＳＯX の排出量削減は当然に舶用ディーゼル機関にも要求されるため、国際規則等に基づく規制が強化されることも考えられ、天然ガス、ＬＮＧ等のガス燃料を主燃料とするガスエンジンの開発が急速に普及しつつある（例えば、特許文献１参照）。
【０００４】
また、これらのガス燃料はいわゆる低着火性燃料に分類されるが、この低着火性燃料にはメタノールも含まれる。このメタノールは燃料中に硫黄分を含んでいないため、燃焼しても大気汚染物質であるＳＯX を排出しない。また、単位発熱量当たりのＣＯ2 や粒子状物質の排出量がこれまでの船舶燃料である燃料油に比べて小さいため、次世代クリーン燃料の一つとして期待されている。
【０００５】
さらに、メタノールの生産はこれまで石油からの精製が主であったが、石炭由来のメタノール精製プラントの計画も多数ある一方、安価な天然ガスから製造されるメタノールが、これまで以上に安価に、かつ大量に生産できる可能性があるため、供給面でもメタノールを舶用ディーゼル機関の燃料とする余地ができつつある。
【０００６】
このような状況下、本願出願人は、メタノールに代表される低着火性燃料を従来の舶用燃料である燃料油とともに使用可能な、二次燃料ディーゼル機関を開発した（例えば、特許文献２参照）。この二次燃料ディーゼル機関は、従来の燃料油を噴射するための燃料噴射ポンプ及び燃料噴射弁に加えて、二次燃料を噴射するための専用の二次燃料噴射ポンプ及び二次燃料噴射弁がそれぞれ別途追加装備されている。
【０００７】
そして、燃料油のための燃料噴射弁と二次燃料のための二次燃料噴射弁とを通して、そのときの機関の作動状態に応じて、使用される燃料が択一的に選択されて、１００％燃料油又は１００％二次燃料のいずれかで作動される。なお、二次燃料はピストンの圧縮による温度上昇だけでは安定した着火を得ることができないため、パイロット着火方式のエンジンでは、着火の容易な燃料油がパイロット燃料噴射弁からパイロット噴射されて、二次燃料の燃焼のための火種を形成する。
【０００８】
これにより、従来の燃料油だけを使用する機関と比べて、この二次燃料ディーゼル機関においては、ノッキングや未燃燃料の排出に関する問題がなく、しかも燃焼特性が二次燃料の性状に依存しないため、二次燃料のみによる作動時においても、燃料油による作動時と同等の機関出力及び負荷変動への追従性が充分に達成可能とされている。
【先行技術文献】
【特許文献】
【０００９】
【特許文献１】特開２０１２−１７７３３３号公報
【非特許文献】
【００１０】
【非特許文献１】三井造船技報  Ｎｏ．２１８  「世界初のメタノール焚きＭＥ−ＬＧＩ機関の完成」，第１頁〜第５頁，２０１７年１月３０日発行，村上高弘著
【発明の概要】
【発明が解決しようとする課題】
【００１１】
上述のように、従来のメタノールに代表される低着火性燃料を使用する内燃機関においては、それまでの燃料油のための燃料噴射ポンプ及び燃料噴射弁に加えて、二次燃料を噴射させるための専用の二次燃料噴射ポンプ及び二次燃料噴射弁がそれぞれ別途追加装備され、燃料油のための燃料噴射弁と二次燃料のための二次燃料噴射弁とを通して、そのときの機関の作動状態に応じて燃料が択一的に選択されて、１００％燃料油又は１００％二次燃料のいずれか一方で作動される。
【００１２】
しかしながら、このように、それまでの燃料油のための燃料噴射ポンプ及び燃料噴射弁に加えて、二次燃料のための専用の二次燃料噴射ポンプ及び二次燃料噴射弁を別途追加装備するのでは、補機類が錯綜して配置される機関周りで、構造が複雑な２系統の燃料噴射装置をそれぞれ装備しなければならず、燃料噴射装置の機器配置が困難になる場合がある。
【００１３】
本発明はこのような問題を解決するためになされたもので、燃料噴射装置の構造が極めて簡易で、機器配置が容易になる、低着火性燃料を用いた内燃機関の燃料噴射装置を提供することを課題とする。
【課題を解決するための手段】
【００１４】
上述の課題を解決するために、本発明が採用する手段は、低着火性燃料を用いた内燃機関の燃料噴射装置であって、燃料油を供給する燃料油供給部と、低着火性燃料を供給する低着火性燃料供給部と、燃料油供給部から供給される燃料油と低着火性燃料供給部から供給される低着火性燃料とを混合させて混合燃料を生成する燃料混合部と、内燃機関に配設されて燃料混合部から供給された混合燃料を内燃機関のシリンダ内へ噴射する燃料噴射部とを備えたことにある。上述の燃料油とは、例えば、ガソリン又は軽油又はＡ重油又はＣ重油などをいい、上述の低着火性燃料とは、例えば、ＬＰＧ（液化石油ガス）又はメタノール又はエタノール又はジメチルエーテルなどをいう。
【００１５】
このように、本発明の低着火性燃料を用いた内燃機関の燃料噴射装置は、燃料油供給部から供給される燃料油と低着火性燃料供給部から供給される低着火性燃料とを混合して混合燃料を生成する燃料混合部と、この燃料混合部から供給された混合燃料を内燃機関のシリンダ内へ噴射する燃料噴射部とを備えるから、従来の二次燃料ディーゼル機関のように、燃料油と低着火性燃料の２系統からなる複雑な構造の燃料噴射装置を、補機類等が錯綜して配置される機関周りに、個別に２重装備する必要がなくなる。このため、燃料噴射装置の構造が極めて簡易となり、機器配置が容易になる。
【００１６】
上記低着火性燃料を用いた内燃機関の燃料噴射装置において、混合燃料内の燃料油と低着火性燃料とを分離させる混合燃料分離部をさらに備えることが望ましい。このように、混合燃料内の燃料油と低着火性燃料とを分離させる混合燃料分離部を備えることにより、一旦混合された混合燃料内の燃料油と低着火性燃料とを再分離して、それぞれ単独で保管又は利用することができるようになる。
【００１７】
また、上記混合燃料分離部は、燃料噴射部からシリンダ内へ噴射されない混合燃料を燃料油と低着火性燃料とに分離し、混合燃料から分離された燃料油は、燃料油供給部へ戻される、又は、混合燃料から分離された低着火性燃料は、低着火性燃料供給部へ戻されるこ
とがさらに望ましい。
【００１８】
このように、燃料混合部から内燃機関へ供給された混合燃料のうち、内燃機関の燃料噴射部からシリンダ内へ噴射されなかったいわば余剰の混合燃料は、燃料分離部により燃料油と低着火性燃料とに分離される。そして、混合燃料から分離された燃料油は燃料油供給部へ戻される、又は、混合燃料から分離された低着火性燃料は低着火性燃料供給部へ戻されるから、内燃機関の燃料噴射部からシリンダ内へ噴射されなかった混合燃料内の燃料油又は低着火性燃料のいずれか一方又は双方が、上記内燃機関の燃焼に無駄なく利用される。
【００１９】
上記低着火性燃料を用いた内燃機関の燃料噴射装置において、低着火性燃料は、液相状態で内燃機関の燃料噴射部へ供給されることが望ましい。このように、低着火性燃料が液相状態で内燃機関の燃料噴射部へ供給されることにより、混合燃料中の低着火性燃料は、その燃焼特性が維持された状態で内燃機関のシリンダ内へ噴射され、そして適切に燃焼される。
【００２０】
上記低着火性燃料を用いた内燃機関の燃料噴射装置において、内燃機関は、ディーゼルサイクルにて作動されることが望ましい。
【００２１】
内燃機関は、主にディーゼルサイクル及びオットーサイクルにより作動される。後に詳述するように、前者のディーゼルサイクルは、噴射される燃料が完全に燃焼されるのため熱効率に優れるという特長を有する一方、後者のオットーサイクルは、燃料の一部燃え残りが燃焼ガスと共に機関外部へ排出されるため、熱効率が劣るという問題がある。上述の低着火性燃料を用いた内燃機関の燃料噴射装置において、上記燃料油と低着火性燃料との混合燃料を用いてディーゼルサイクルにて作動されることにより、未燃燃料の排出に関する問題がなく熱効率に優れると共に、ノッキングが発生せず、また、従来の燃料油による内燃機関とほぼ同等の機関出力と負荷変動への追従性とが確保される。
【００２２】
上記低着火性燃料を用いた内燃機関の燃料噴射装置において、内燃機関は、パイロット燃料噴射弁を有しないことが望ましい。
上述の混合燃料は、着火性の悪い低着火性燃料に着火性のよい燃料油が混合されてなるから、従来の二次燃料ディーゼル機関に必要であったパイロット燃料噴射を不要にすることができる。この場合には、機関周りに燃料油等によるパイロット噴射のための燃料油供給部を別途装備する必要がなくなり、これによっても燃料噴射装置の構造が簡易となり、機器配置がさらに容易になる。
【００２３】
上記低着火性燃料を用いた内燃機関の燃料噴射装置において、混合燃料は、内燃機関の燃焼作動時に内燃機関の燃料噴射部からシリンダ内へ常時噴射されることが望ましい。
【００２４】
このように、混合燃料が、内燃機関の燃焼作動時に内燃機関の燃料噴射部からシリンダ内へ常時噴射されることにより、従来の二次燃料ディーゼル機関のような、燃料油又は低着火性燃料のいずれか一方のみによる作動をすべて排除することができ、燃料噴射装置の構造が一段と簡易になり、機器配置がさらに容易になる。
【００２５】
上記低着火性燃料を用いた内燃機関の燃料噴射装置において、燃料混合部は、内燃機関の作動状態に応じて燃料油供給部から供給される燃料油と低着火性燃料供給部から供給される低着火性燃料との混合比率を変化させることができることが望ましい。
【００２６】
このように、燃料混合部が、内燃機関の作動状態に応じて燃料油供給部から供給される燃料油と低着火性燃料供給部から供給される低着火性燃料との混合比率を変化させること
を可能にしたことにより、内燃機関のいかなる作動状態においても、混合燃料に対する着火性及びその他の燃焼特性を最適に維持することができる。
【００２７】
上記低着火性燃料を用いた内燃機関の燃料噴射装置において、低着火性燃料をメタノールとし、混合燃料に水を含有させるための水供給部をさらに備えることが望ましい。このように、低着火性燃料をメタノールにすると共に、混合燃料に水を含有させるための水供給部をさらに備えることにより、燃焼時に内燃機関のシリンダ内の燃焼温度を低下させることができ、ＮＯX の排出量を一段と低下させることができる。
【００２８】
上述の低着火性燃料を用いた内燃機関の燃料噴射装置において、この水供給部は、低着火性燃料供給部に接続されて水を低着火性燃料供給部に供給して低着火性燃料に水を混入させることにより、混合燃料に水を含有させることがさらに望ましい。
【００２９】
このように、低着火性燃料供給部に接続される水供給部が、水を低着火性燃料供給部に供給して予め低着火性燃料に水を混入させることによって、混合燃料に水を含有させるようにしたことにより、水を混合燃料に容易に含有させることができる。
【発明の効果】
【００３０】
本発明の低着火性燃料を用いた内燃機関の燃料噴射装置は、低着火性燃料を用いた内燃機関の燃料噴射装置であって、燃料油を供給する燃料油供給部と、低着火性燃料を供給する低着火性燃料供給部と、燃料油供給部から供給される燃料油と低着火性燃料供給部から供給される低着火性燃料とを混合して混合燃料を生成する燃料混合部と、内燃機関に配設されて燃料混合部から供給された混合燃料を内燃機関のシリンダ内へ噴射する燃料噴射部とを備えるから、燃料噴射装置の構造が極めて簡易となり、機器配置を容易にすることができる、という優れた効果を奏する。
【図面の簡単な説明】
【００３１】
【図１】本発明の内燃機関の低着火性燃料を用いた燃料噴射装置を示すシステム図である。
【図２】図１とは別の、内燃機関の低着火性燃料を用いた燃料噴射装置を示すシステム図である。
【発明を実施するための形態】
【００３２】
本発明に係る低着火性燃料を用いた内燃機関の燃料噴射装置を実施するための形態を、図１及び図２を参照して詳細に説明する。
【００３３】
図１に、第１の形態を示す。図１に示すように、内燃機関の一例としての舶用大型ディーゼル機関１の燃料噴射装置２は、燃料油を供給する燃料油供給部１０と、低着火性燃料を供給する低着火性燃料供給部２０と、燃料油供給部１０から供給される燃料油と低着火性燃料供給部２０から供給される低着火性燃料とを混合させてそれらの混合燃料を生成する燃料混合部３０と、舶用大型ディーゼル機関１に配設されて燃料混合部３０から供給される混合燃料をこのディーゼル機関１のシリンダ内へ噴射する燃料噴射部４０と、混合燃料内の燃料油と低着火性燃料とを分離するための混合燃料分離部６０とを備える。
【００３４】
上述の燃料油とは、例えば、ガソリン、軽油、Ａ重油、Ｃ重油などをいい、また、低着火性燃料とは、例えば、ＬＰＧ（液化石油ガス）、メタノール、エタノール、ジメチルエーテルなどをいう。低着火性燃料は、従来の燃料油であるガソリン、軽油、Ａ重油、Ｃ重油などと比べて着火性が低く、舶用大型ディーゼル機関などでこれらの低着火性燃料を主燃料として単独で使用した場合にはパイロット燃料噴射が必要であり、また、このパイロ
ット噴射用の燃料として、従来の燃料油が必要であった。
【００３５】
しかしながら、例えば、低着火性燃料のＬＰＧやメタノールは、燃料油としての重油や軽油のような重質燃料と極性が類似しており、両者はよく混合する。本燃料噴射装置２はこのような燃料間の性質を利用するものである。
【００３６】
燃料油は、燃料油タンク１１から流量計１２を介して電動の燃料油ポンプ１３に送られて、ここで加圧される。この燃料油ポンプ１３で加圧された燃料油は、フィルタ１４、三方弁１５、逆止弁１６を介して、上述の燃料混合部３０へ送られる。三方弁１５の切り替えにより、加圧された燃料油を燃料油タンク１１へ戻すこともできる。三方弁１５を出た過圧の燃料油は、三方弁１５からの分岐路１８に配設されたリリーフ弁１９の作動により、燃料油タンク１１へ戻される。上述の燃料油供給部１０は、これらの機器により形成される。
【００３７】
一方、低着火性燃料は、低着火性燃料タンク２１から流量計２２を介して電動の低着火性燃料ポンプ２３に送られて、ここで加圧される。この低着火性油ポンプ２３で加圧された低着火性燃料は、フィルタ２４、逆止弁２６を介して上述の燃料混合部３０へ送られる。フィルタ２４を出た過圧の低着火性燃料は、フィルタ２４からの分岐路２８に配設されたリリーフ弁２９の作動により、電動の昇圧ポンプ２７、逆止弁２７ａを介して低着火性燃料タンク２１へ戻される。上述の低着火性燃料供給部２０は、これらの機器により形成される。
【００３８】
燃料混合部３０は、舶用大型ディーゼル機関１の作動状態に応じて燃料油供給部１０から供給される燃料油と、低着火性燃料供給部２０から供給される低着火性燃料との混合比率を変化させることができる。
【００３９】
例えば、流量計１２，２２の流量値に基づいて、図示しないエンジンコントローラが燃料油ポンプ１３及び低着火性油ポンプ２３の作動を制御して、それらの吐出流量を変化させることにより、燃料混合部３０における燃料油と低着火性燃料との混合比率を変化させることが可能である。また、燃料混合部３０そのものに、図示しないエンジンコントローラの制御によって燃料油と低着火性燃料との混合比率を変化させることができる機能を持たせることもできる。
【００４０】
このように、舶用大型ディーゼル機関１の作動状態に応じて、燃料油供給部１０から供給される燃料油と、低着火性燃料供給部２０から供給される低着火性燃料との混合比率を変化させることにより、このディーゼル機関１のいかなる作動状態においても、着火性及び他の燃焼特性を最適に維持することができる。
【００４１】
燃料混合部３０を出た燃料油と低着火性燃料との混合燃料は、逆止弁４１を介して舶用大型ディーゼル機関１の燃料ポンプ４２に供給され、この燃料ポンプ４２により必要な噴射圧に加圧調整される。燃料ポンプ４２で必要な噴射圧まで加圧された混合燃料は、燃料噴射弁４３を介して、このディーゼル機関１のシリンダ内へ噴射される。燃料ポンプ４２及び燃料噴射弁４３により、燃料噴射部４０が形成される。
【００４２】
このように、舶用大型ディーゼル機関１は、燃料油と低着火性燃料との混合燃料が用いられるから一定の着火性は確保され、パイロット噴射を行わなくても、従来の燃料油のみの舶用大型ディーゼル機関と比べても遜色ない着火性が得られる。このディーゼル機関１は、燃料油と低着火性燃料との混合燃料を用いて、図示しないエンジンコントローラの制御により、ディーゼルサイクルにて作動される。
【００４３】
内燃機関は、主にディーゼルサイクル及びオットーサイクルにより作動される。前者のディーゼルサイクルは、圧縮空気に燃料を噴射し、その燃料が圧縮工程により高温になった燃焼室内で自己着火する。このため、噴射された燃料は完全に燃焼され、熱効率に優れるという特長を有する。
【００４４】
一方、後者のオットーサイクルは、圧縮工程で燃焼室内に燃料を噴射し、上死点近傍で燃料を着火させることにより熱発生させる。このオットーサイクルにおいては、燃焼室内に噴射された燃料が完全に燃焼しきれず、燃え残り燃料が燃焼室内に残存する可能性がある。このため、燃料の燃え残りが排気ガスと共に機関外部へ排出され、熱効率が劣るという問題がある。
【００４５】
上述の舶用大型ディーゼル機関１においては、燃料油と低着火性燃料との混合燃料を用いてディーゼルサイクルにて作動されることにより、未燃燃料の排出に関する問題がなく熱効率に優れると共に、ノッキングが発生せず、また、従来の燃料油による内燃機関とほぼ同等の機関出力と負荷変動への追従性とが確保される。
【００４６】
また、上述の燃料混合部３０を出た燃料油と低着火性燃料との混合燃料は、リリーフ弁６１を介して混合燃料分離部６０に送られる。混合燃料分離部６０においては、燃料混合部３０から舶用大型ディーゼル機関１へ供給された混合燃料のうち、燃料噴射弁４３からシリンダ内へ噴射されなかった混合燃料が、燃料油と低着火性燃料とに分離される。
【００４７】
混合燃料分離部６０によって分離された燃料油は、燃料油供給部１０のリリーフ弁１９の下流側の分岐路１８を介して、燃料油タンク１１へ戻される。また、混合燃料分離部６０によって分離された低着火性燃料は、低着火性燃料供給部２０のリリーフ弁２９の下流側の分岐路２８を介して低着火性燃料タンク２１へ戻される。
【００４８】
このように、燃料油と低着火性燃料との混合燃料は、液相状態で燃料噴射弁４３に供給されて、これらの燃料噴射弁４３，５３から舶用大型ディーゼル機関１のシリンダ内へ噴射される。すなわち、混合燃料の一部を形成する低着火性燃料は、低着火性燃料タンク２１内のみならず、燃料混合部３０を含めて液相状態が維持されたまま、燃料噴射弁４３へ供給される。
【００４９】
また、この舶用大型ディーゼル機関１においては、燃焼作動時に、すなわちすべての燃焼作動状態において、燃料油と低着火性燃料との混合燃料が、燃料噴射弁４３を介してシリンダ内へ常時噴射される。
【００５０】
低着火性燃料がメタノールやエタノールの場合には常温常圧で液相状態にあるから、燃料噴射弁４３まで液相状態を保持するのに特別な装置は必要としない。一方、低着火性燃料がＬＰＧやジメチルエーテルの場合には、燃料噴射弁４３まで液相状態を保持するのに、一定の圧力をかける必要がある。
【００５１】
例えば、ＬＰＧでは、４５°Ｃで２０ｂａｒ前後以下の圧力に保持する必要がある。また、燃料油供給部１０から供給される燃料油の供給圧力と、低着火性燃料供給部２０から供給される低着火性燃料の供給圧力は、燃料油供給部１０のリリーフ弁１９と低着火性燃料供給部２９とにより、ほぼ同程度に調整される。
【００５２】
なお、上述の混合燃料は、着火性の悪い低着火性燃料に着火性のよい燃料油が混合されてなるから、着火性については低着火性燃料のみによる場合に比べて格段に向上する。このため、一例としての本燃料噴射装置２においては、パイロット燃料噴射弁を装備せず、パイロット燃料噴射は行われない。
【００５３】
図２に、第２の形態を示す。なお、上述の図１に示した第１の形態との相違点のみを説明する。この燃料噴射装置３は、低着火性燃料が例えばメタノールの場合のものであり、低着火性燃料であるメタノールに予め水を混入させて、舶用大型ディーゼル機関１の燃料噴射弁４０からそのシリンダ内へ噴射される混合燃料に、水を含有させるための水供給部７０が配設される。
【００５４】
水供給部７０は、水タンク７１と水ポンプ７２とからなり、水ポンプ７２で一定圧まで昇圧された水の供給路７３は、低着火性燃料ポンプ２３とフィルタ２４との間の低着火性燃料供給路（低着火性燃料供給部）２３ａに接続され、一定圧の水が低着火性燃料供給路２３ａに供給される。
【００５５】
この場合、低着火性燃料がその一例としてのメタノールである一方、メタノールはＣＨ基とＯＨ基が１つの分子にあるため、海面活性剤のように、重油などの燃料油と水を媒介してこれらとミセルを形成したり、乳化された形となる。このため、水を混合燃料に容易に含有させることができる。
【００５６】
このように、混合燃料に水を含有させておくことにより、燃焼時に舶用大型ディーゼル機関１のシリンダ内の燃焼温度を低下させることができ、ＮＯX の排出量を一段と低下させることができる。その他は、上述の第１の形態の低着火性燃料を用いた内燃機関の燃料噴射装置２と同様であるから、説明を省略する。
【００５７】
以上のように、本低着火性燃料を用いた内燃機関の燃料噴射装置２，３は、燃料油供給部１０から供給される燃料油と、低着火性燃料供給部２０から供給される低着火性燃料とを混合させて混合燃料を生成する燃料混合部３０を有し、この燃料混合部３０から供給される混合燃料を、一例としての舶用大型ディーゼル機関１のシリンダ内へ噴射する燃料噴射部４０を備えたから、従来の二次燃料ディーゼル機関のように、燃料油と低着火性燃料の２系統からなる複雑な構造の燃料噴射装置を、機関周りに個別に２重装備する必要がなくなる。このため、本低着火性燃料を用いた内燃機関の燃料噴射装置２，３は、構造が極めて簡易となり、機器配置は容易である。
【００５８】
また、上述の混合燃料は、着火性の悪い低着火性燃料に着火性のよい燃料油が混合されてなるから、着火性の観点から従来の二次燃料ディーゼル機関に必要であったパイロット燃料噴射を不要にすることもできる。このため、機関周りに燃料油等によるパイロット噴射のための燃料油供給部を別途装備する必要がなくなり、これによっても燃料噴射装置の構造がさらに簡易となり、機器配置が容易になる。
【００５９】
一方、燃料混合部３０から燃料噴射部４０へ供給された混合燃料のうち、それらからシリンダ内へ噴射されなかったいわば余剰の混合燃料は、混合燃料分離部６０により燃料油と低着火性燃料とに分離される。そして、この混合燃料分離部６０により分離された燃料油は、燃料油供給部１０へ戻されると共に、混合燃料分離部６０により分離された低着火性燃料は低着火性燃料供給部２０へ戻されるから、余剰となった混合燃料内の燃料油及び低着火性燃料が、上記舶用大型ディーゼル機関１の燃料噴射に無駄なく利用される。
【００６０】
また、低着火性燃料が液相状態で燃料噴射部４０へ供給されることにより、混合燃料中の低着火性燃料は、その燃焼特性が維持された状態で内燃機関のシリンダ内へ噴射され、そして適切に燃焼される。
【００６１】
さらに、上述のように、混合燃料が燃料噴射部４０から舶用大型ディーゼル機関１のシリンダ内へ常時噴射されることにより、従来の二次燃料ディーゼル機関のような、燃料油
又は低着火性燃料の択一的に選択されたいずれか一方のみによる作動をすべて排除することができ、構造が極めて簡易になり、機器配置が一段と容易になる。
【００６２】
なお、上述の低着火性燃料を用いた内燃機関の燃料噴射装置は一例にすぎず、本発明の趣旨に基づいて種々の変形が可能であり、それらを本発明の範囲から排除するものではない。例えば、内燃機関は上述の舶用大型ディーゼル機関１に限定されたものではなく、他の方式の内燃機関に対しても実施することができることは勿論である。
【符号の説明】
【００６３】
１  舶用大型ディーゼル機関
２，３  燃料噴射装置
１０  燃料油供給部
１１  燃料油タンク
１２  流量計
１３  燃料油ポンプ
１４  フィルタ
１５  三方弁
１６  逆止弁
１８  分岐路
１９  リリーフ弁
２０  低着火性燃料供給部
２１  低着火性燃料タンク
２２  流量計
２３  低着火性燃料ポンプ
２３ａ  低着火性燃料供給路
２４  フィルタ
２６  逆止弁
２７  昇圧ポンプ
２７ａ  逆止弁
２８  分岐路
２９  リリーフ弁
３０  燃料混合部
４０  燃料噴射部
４１  逆止弁
４２  燃料ポンプ
４３  燃料噴射弁
６０  混合燃料分離部
６１  リリーフ弁
７０  水供給部
７１  水タンク
７２  水ポンプ
７３  供給路
【図１】
2019132221.tif 000003
【図２】
2019132221.tif 000004